(57)【特許請求の範囲】
【請求項１】
対向する電子部材のそれぞれの電極間をコネクタを用いて接続する電気的接続方法であって、
前記コネクタが、弾性体コネクタとクリップ部材とを一体化して構成されるとともに、前記電子部材の一方の電極部分外を前記クリップ部材でクリップすることによって、前記弾性体コネクタの一端を該電子部材の電極部分に当接させ、該弾性体コネクタの他端に他方の電子部材の電極を当接させて、該弾性体コネクタをこれら電子部材により圧縮し、該電子部材の対向する電極間を電気的接続することを特徴とする対向電極間の電気的接続方法。
【請求項２】
対向する電子部材のそれぞれの電極間を電気的に接続するコネクタであって、
前記コネクタが、弾性部材の両面に電極が形成され、該両面の電極間がそれぞれ導通している弾性体コネクタと、該弾性体コネクタが一体化され、前記電子部材の一方の電極部分外をクリップすることによって、前記弾性体コネクタの電極と該電子部材の電極とが当接するように構成されたクリップ部材とを備えたことを特徴とするコネクタ。
【請求項３】
対向配置した第１と第２の電子部材のそれぞれの電極間をコネクタを用いて電気的接続する接続構造であって、
前記コネクタが、両面に電極を形成した弾性部材の両面の電極間をそれぞれ導通させた弾性体コネクタとクリップ部材とを一体的に構成して形成され、該クリップ部材を第１の電子部材の電極部分外にクリップして第１の電子部材の電極と該弾性体コネクタの電極とを当接させ、第１と第２の電子部材間に該弾性体コネクタを介在させて対向電極間を電気的接続する構成としたことを特徴とする対向電極間の電気的接続構造。
【発明の詳細な説明】
【０００１】
【発明の属する技術分野】
本発明は、対向する電極間の電気的接続方法、接続構造及びコネクタに関するものである。
【０００２】
【従来の技術】
従来、表面実装型ＬＳＩ、液晶表示パネル、プラズマディスプレイ、電子回路基板等の電子部材の電極間の電気的接続は、ＡＣＦ（Ａｎｉｓｏｔｒｏｐｉｃ・Ｃｏｎｄｕｃｔｉｖｅ・Ｆｉｌｍ：異方性導電膜）等の接合剤を用いて熱圧着する方法により行われるか、あるいは、弾性体コネクタを対向する電子部材の電極間に配置して、圧接することにより電極間を電気的に接続する方法などが行われている。
【０００３】
【発明が解決しようとする課題】
しかしながら、ＡＣＦによる熱圧着の場合、電子部材の電極端子間の正確な位置合わせが必要であり、接続作業が容易ではなかった。
更には熱圧着による電子部材の破壊、例えばＣＯＧ（Ｃｈｉｐ・Ｏｎ・Ｇｌａｓｓ）型液晶においては、熱圧着に起因して生じる残留応力のために液晶表示パネルや液晶駆動用ＩＣ等に負担が加わったり、液晶駆動用ＩＣを接合しているＡＣＦが熱圧着による熱により軟化し、液晶駆動用ＩＣの接続に不具合が発生する恐れがあった。
なお、熱圧着の温度を低く設定することにより、このような不具合の発生を回避することも可能であるが、こうすると充分な接着強度が得られなくなる可能性が有る。
また、一回熱圧着してしまうと剥離が極めて難しく、例えば液晶表示パネルの表示テストにおいて接続不良や、ＦＰＣの不良等、液晶表示パネルに起因しない表示不良が発生したような場合、液晶表示パネルは良品であるのに関わらず、リペアが出来ずに、高価な液晶表示パネルを廃棄しなくてはならないといった問題もある。
また、弾性体コネクタを用いて圧接する方法の場合、剥離はできるが、電極に対するコネクタの正確な位置合わせが容易でなく生産性が上がらないという問題がある。
【０００４】
本発明の課題は、ＡＣＦ等の熱圧着工程による電子部材の破壊や過負荷、高価な電子部材の廃棄といったコスト、収率の問題を解決し、電子部材間の接続作業を簡便かつ容易に行うことのできる接続方法及びそのコネクタの提供にある。
【０００５】
【課題を解決するための手段】
上述課題を解決するために、本発明は、次のような手段を採用した。
請求項１に記載の発明は、対向する該電子部材のそれぞれの電極間をコネクタを用いて接続する電気的接続方法であって、前記コネクタが、弾性体コネクタとクリップ部材とを一体化して構成されるとともに、前記電子部材の一方の電極部分外を前記クリップ部材でクリップすることによって、前記弾性体コネクタの一端を該電子部材の電極部分に当接させ、該弾性体コネクタの他端に他方の電子部材の電極を当接させて、該弾性体コネクタをこれら電子部材により圧縮し、該電子部材の対向する電極間を電気的接続することを特徴としている。
【０００６】
請求項２に記載の発明は、対向する電子部材のそれぞれの電極間を電気的に接続するコネクタであって、前記コネクタが、弾性部材の両面に電極が形成され、該両面の電極間がそれぞれ導通している弾性体コネクタと、該弾性体コネクタが一体化され、前記電子部材の一方の電極部分外をクリップすることによって、前記弾性体コネクタの電極と該電子部材の電極とが当接するように構成されたクリップ部材とを備えたことを特徴とするコネクタであり、好ましくは弾性体コネクタは、断面略Ｘ字状の絶縁性エラストマーと、該絶縁性エラストマーの略Ｘ字状に延びたアームの１つの表面先端からＸ字の中心点をほぼ対称点とする対向する他のアームの裏面先端へと延出する導電線条材とを備えている。
【０００７】
請求項３に記載の発明は、一対の電子部材を対向させて電極同志を対向配置し、電極間に請求項２に記載のコネクタを介在させて、電極間の電気的接続をするように構成した接続構造である。
【０００８】
【発明の実施の形態】
以下、本発明に係るコネクタの実施形態について説明する。
本発明に係るコネクタは、一対の電子部材を対向させ、対向させた電極（電極端子）間を電気的に接続するものであって、弾性部材の両面に電極が形成され両面の電極間がそれぞれ導通している弾性体コネクタと、該弾性体コネクトと一体的に形成され前記電子部材の電極部分外をクリップさせると弾性体コネクタの電極がその電子部材の電極に当接するように構成されたクリップ部材とを備えたものである。このコネクタが用いられる電子部材としては、表面実装型ＬＳＩ、液晶表示パネル、プラズマディスプレイ、電子回路基板等があるが、以下、電子部材として、一方が液晶表示パネル、他方が回路基板の場合について説明する。
【０００９】
図１は、本発明の実施形態であるコネクタ１０を、液晶表示パネルと回路基板の電極間の電気的接続に使用した液晶表示装置１００の縦断面図であり、図２はその分解斜視図である。
図において、１０１は回路基板、１０２は液晶表示パネル、１０３はバックライト用ＬＥＤ、１０４はバックライト用ＬＥＤ１０３の光を液晶表示パネル１０２の背面に導くためのライトガイド、１０５はシールドケース、１０６は液晶駆動用ＩＣである。また、１０１ａは回路基板１０１に形成された電極端子、１０２ａは液晶表示パネル１０２に形成された電極端子であり、これら電極端子１０１ａ、１０２ａを電気的に接続するためのものがコネクタ１０である。
【００１０】
コネクタ１０は、圧接型（弾性体）コネクタ１２と、金属製クリップ部材１４とを一体化させ、金属製クリップ部材１４により液晶表示パネル１０２の電極端子１０２ａ部分に圧接型コネクタ１２を取付け保持し、液晶表示パネル１０２及び回路基板１０１間でコネクタ１２を圧縮することで電気的接続を行うものである。このコネクタ１０の詳細については実施例１に記載する。
【００１１】
接続に用いる圧接型コネクタは、液晶表示パネルの駆動電流の大きさによって選択すれば良く、液晶表示パネルの駆動用ＩＣが回路基板側に搭載され、液晶表示パネルに入力される電流が小さい場合などは、コネクタ自体に大きな電流容量を必要としないため、図６に示すようなゴムコネクタ６２を使用すれば良く、ＣＯＧ型液晶表示パネルのように、液晶駆動用ＩＣが液晶表示パネルに直接搭載されており、比較的大きな電流を必要とするような場合、ゴムコネクタでは抵抗値が高く、電流容量が少ないため、電流による発熱が発生しやすく、また、信号の遅延や損失が発生するため使用は好ましくない。
【００１２】
従って、導体に金属箔を線条形に加工した物、もしくは金属ワイヤーを用いた、電流容量の大きい圧接型コネクタ、たとえば、図１に示すＸ型コネクタ１２、図３に示す金属細線Ｕ字型コネクタ３２あるいは図４、図５に示す金属細線コネクタ４２、５２等を用いれば良い。
【００１３】
金属細線コネクタ５２は、一定ピッチ配列した金属ワイヤー５２ｃを絶縁性エラストマー５２ａ、５２ｂで挟持したものを金属ワイヤー５２ｃ方向が一定になるように積層し、この物をスライスした後、適宜寸法に切断する金属細線マトリックス型コネクタ５２としたもので、金属細線コネクタ４２の代わりにこのようにして良い。
最近では液晶表示パネルの薄型化・軽量化が進み、液晶表示パネル自体の強度が低下している。
従って圧接型コネクタを使用する場合においては、低い圧縮荷重での接続が必要であるため、接続時の圧縮荷重が低く抑えられる、Ｘ型コネクタ１２の使用が最も望ましい。
【００１４】
圧接型コネクタに金属箔を線条体に加工した物を用いる場合、その素材には銅、アルミニウム、アルミニウム−けい素合金、真鍮、りん青銅、ベリリウム銅、ニッケル、ニッケル−チタン合金、モリブデン、タングステン、ステンレス、鉄、鉄−炭素合金などを用いることができ、これらの表面に金または金合金などのメッキ加工を施すことが望ましい。
特にステンレスに金メッキを施したものは、接触抵抗が低く、かつ、素材自体のバネ性があるため、コネクターの座屈防止や、繰り返し圧縮性において優れ、また、コストが低く抑えられるため最も望ましい。
この時に金属箔の厚みは０．０１〜０．５ｍｍとし、好ましくは０．０２〜０．５ｍｍが良い。
０．０１ｍｍ未満では材料自体の強度が無く、製品とした場合の耐久性が悪く、成形時のハンドリンク性が悪くなる。
０．５ｍｍ以上では材料の剛性が高すぎ、接続荷重を低く抑えることが困難となり、また加工性が低下する。
【００１５】
金属箔を一定ピッチの導電線条体に加工する方法としては、エッチング、レーザー、スタンピングプレスによる抜き加工等を用いることが出来る。
ピッチ精度を必要とし、接続電極幅が狭い場合、例えば０．０３〜０．５ｍｍピッチでは、エッチングにより金属箔を所定のピッチに加工するのが良い。
逆に接続電極幅が広い場合、例えば０．５〜２．０ｍｍピッチではレーザーにて所定のピッチに加工する方法、スタンピングプレスによる抜き加工等を用いると量産性やコストの面で良い。
【００１６】
また、圧接型コネクタに金属ワイヤーを用いる場合、その素材には金、金合金、銅、アルミニウム、アルミニウム−けい素合金、真鍮、りん青銅、ベリリウム銅、ニッケル、ニッケル−チタン合金、モリブデン、タングステン、ステンレス、鉄、鉄−炭素合金などを用いることができ、金、金合金以外の素材表面には金または金合金などのメッキ加工を施すことが望ましい。
【００１７】
金属ワイヤーの直径は、０．０１ｍｍ〜０．５ｍｍ程度の物が使用出来るが、０．０１ｍｍ未満ではワイヤー自体の強度が低いため加工性が悪く、また、直径が０．１ｍｍを越えると、逆に強度が高くなりすぎ、コネクタにしたときの接圧が高くなりすぎてしまうため、直径０．０２ｍｍから０．１ｍｍの範囲が最も望ましい。
【００１８】
圧接型コネクタにゴムコネクタを用いる場合、導電性エラストマー及び絶縁性エラストマーを交互積層し、非圧接面側に一対の絶縁性エラストマーからなるサポート材を付与した圧接型ゴムコネクタを用いる。
ゴムコネクタに用いられる絶縁性エラストマーは弾性を有し、かつ絶縁性を有するエラストマー部材が良く、シリコーンゴム、ポリブタジエンゴム、天然ゴム、ポリイソプレンゴム、ウレタンゴム、クロロプレンゴム、ポリエステル系ゴム、スチレン−ブタジエン共重合体ゴム、エピクロルヒドリンゴムの非発泡材料、またはこれらの発泡材料などが使用できる。
中でも、電気絶縁性、耐熱性、圧縮永久歪みに優れるシリコーンゴムの使用が最も望ましい。
【００１９】
また、導電性エラストマーは前記した各種エラストマー素材に、カーボン、グラファイト、金、銀、銅、ニッケルといった導電性を有する素材、またはこれらのメッキ加工を施した粉体、微小球体、鱗片状体を添加したものが使用できる。絶縁性及び導電性エラストマー部材のゴム強度は、低いゴム硬度の場合、低い接圧が得られるが、圧縮による永久歪や、熱によるへたりが発生しやすい。
また、高いゴム硬度を有する材料は接圧が高くなってしまう。
従って、接圧が低く、かつ永久歪の少ないエラストマー部材として、ゴム硬度１０〜７０°Ｈが良く、好ましくはゴム硬度３０〜６０°Ｈのシリコーンゴムの使用が望ましい。
【００２０】
金属製クリップ部材は、銅、アルミニウム、アルミニウム−けい素合金、真鍮、りん青銅、ペリリウム銅、ニッケル、ニッケル−チタン合金、モリブデン、タングステン、ステンレス、鉄、鉄−炭素合金などの素材を用いることができるが、クリップとしての機能を考慮した場合、バネ性の高い素材を使用することが好ましく、中でもステンレスが、バネ性・加工性・コスト的に優れるため最も望ましい。
【００２１】
金属製クリップ部材の形状は、液晶表示パネルの大きさ・厚み・使用する圧接型コネクタの大きさ・種類等によって異なってくるため、各液晶表示パネルに応じた設計を行う必要があるが、液晶表示パネルへの保持・固定を行う部分（クリップ部分）は、金属製クリップ部材中に少なくとも一カ所以上、望ましくは、液晶表示パネルへの固定強度等を考慮した場合、２カ所以上設けるのが良く、また、金属製クリップ部材の長さは、使用する液晶表示パネルの長さと同じにしておくことが望ましい。
これは、液晶表示パネルの端面と金属製クリップ部材の長さ方向端面の位置を合わせるだけで容易に位置決めが出来、作業性が向上するからである。
【００２２】
クリップ部分の形状は、略断面形状が‘コ’あるいは‘Ｃ’のような形状が金属製部材の加工性、液晶表示パネル端子部分への保持・固定のし易さ等から考えても好ましいが、液晶表示パネルの電極端子部分外を挟み込み、保持・固定できる形であれば良い。
この時クリップ部分の開口部の端部を、クリップの広がる方向に若干曲げておく、またはクリップの閉まる方向に折り返しておくことにより、液晶表示パネル端子部分への取り付けが容易になるため望ましい。
なお、上述したなかでは、金属製クリップ部材でクリップするところを、液晶表示パネルとしているが、回路基板側をクリップするようにしても同じことが行える。
【００２３】
【実施例】
（実施例１）
図１，２に示すコネクタ１０の製造方法について説明する。
大きさ３０ｍｍ×１００ｍｍ、厚み５０μｍのステンレス板を、外周部１０ｍｍの額縁部を残して０．０７ｍｍピッチ・導体長さ１０ｍｍにスリット部をエッチングし、この物に下地ニッケル、表面金メッキ処理を施した。
エラストマー支持体成形用金型に、硬化後ゴム硬度５０°Ｈのシリコーンゴムを充填し、これを１２０゜Ｃ・５分間加圧加熱し略Ｖ字状のシリコーンゴム支持体１２ａ、１２ｂとした。なお、これらシリコーンゴム支持体１２ａ、１２ｂは本発明にいう第一、第二の支持弾性体に相当する。
【００２４】
上記に得られたシリコーンゴム支持体にシリコーン系接着剤を２０μｍ厚に塗布し、この物二つと前記ステンレス板を導体部材長さの中心点を基準として点対称となるように接着用治具にセットした後、１２０℃で５分間加圧加熱し、出来上がった成形体から不要部分の額縁部とスリット部を切断除去して導電線条材１２ｃを形成し、更にスリット部ピッチ配列方向に約１５ｍｍの長さに切断し、図１、２に示すような幅約１．５ｍｍ、高さ約１．５ｍｍ、長さ約１５ｍｍのＸ型コネクタ１２とした。
【００２５】
次いで、厚み１００μｍのステンレス板を、金属製クリップ部材の展開形状に、プレス加工にて打ち抜いた後、所定の形状に曲げ加工して、長さ約４０ｍｍ、幅約２．５ｍｍ、高さ約２．０ｍｍで、長さ方向の両端部分に略断面形状が‘コ’の字をしたクリップ部分を有する金属製クリップ部材１４とした。
この物にシリコーン系接着剤を塗布し、前記Ｘ型コネクタ１２を取付け、１２０゜Ｃで１０分間加熱することにより接着固定して、金属製クリップ部材付Ｘ型コネクタ１０を得た。
この物を、ＣＯＧ型液晶表示パネルの端子部分に、金属製クリップ部材のクリップ部分を用いて取付け、回路基板との間で圧縮したところ、液晶表示パネルが正常に点灯し、安定した導通が得られることが確認された。
【００２６】
（実施例２）
図３に示すコネクタ３０の製造方法について説明する。
下地ニッケルメッキ、表面金メッキを施した直径４０μｍの真鍮線３２ｃを、硬化後ゴム硬度５０゜Ｈ、厚み１００μｍの未硬化シリコーンゴム上に、０．１ｍｍピッチにて一定間隔で配列し、この物を１２０°Ｃで３０分間加熱・硬化させ、更に真鍮線３２ｃの配列方向に直交する方向に約９ｍｍの長さで切断した。
次いでこの物を治具に掘られた、幅約３ｍｍ、深さ約２ｍｍのＵ字型の溝に、真鍮線３２ｃが、外面に来るように押し込み、更に加熱によりスポンジ状に発泡し、硬化後ゴム硬度が２０゜Ｈとなる未硬化シリコーンゴム３２ａを充填し、蓋をかぶせた後、１２０゜Ｃで５分間加熱・発泡・硬化させた後に取り出し、真鍮線の配列方向に約１０ｍｍの長さに切断し、幅約２ｍｍ、高さ約３ｍｍ、長さ約１０ｍｍの金属細線Ｕ字型コネクタ３２とした。
【００２７】
次いで、厚み１００μｍのステンレス板を、金属製クリップ部材の展開形状に、プレス加工にて打ち抜いた後、所定の形状に曲げ加工して、長さ約３０ｍｍ、幅約２．５ｍｍ、高さ約２．０ｍｍで、長さ方向の両端部分に略断面形状が‘コ’の字をしたクリップ部分を有する金属製クリップ部材３４とした。
この物にシリコーン系接着剤を塗布し、前記金属細線Ｕ字型コネクタ３２を取付け、１２０゜Ｃで１０分間加熱することにより接着固定して、金属製クリップ部材付金属細線Ｕ字型コネクタ３０を得た。
この物を、ＣＯＧ型液晶表示パネルの端子部分に、金属製クリップ部材３４のクリップ部分を用いて取付け、回路基板との間で圧縮したところ、液晶表示パネルが正常に点灯し、安定した導通が得られることが確認された。
【００２８】
（実施例３）
図４に示すコネクタ４０についての製造方法について説明する。
下地ニッケルメッキ、表面金メッキを施した直径３０μｍの真鍮線４２ｃを、硬化後ゴム硬度３０゜Ｈ、厚み１００μｍの未硬化シリコーンゴム上に、０．０５ｍｍピッチにて一定間隔で配列し、更に、硬化後ゴム硬度３０゜Ｈ、厚み１００μｍの未硬化シリコーンゴムを、配列した真鍮線４２ｃ上に貼り、この物を１２０℃で３０分間加熱・硬化させ、この物の両表面に、シリコーン系接着剤を厚み２０μｍで塗布し、ここに厚み約０．９ｍｍ、ゴム硬度３０゜Ｈのシリコーンゴム板（サポート材）４２ａ，４２ｂを貼り合わせ、更に１２０゜Ｃで１０分間加熱・硬化させた後、真鍮線の配列方向に約２０ｍｍ、真鍮線の配列方向に直交する方向に約５ｍｍに切断し、長さ約２０ｍｍ、幅約２ｍｍ、高さ約５ｍｍの金属細線コネクタ４２とした。
【００２９】
次いで、厚み８０μｍのステンレス板を、金属製クリップ部材の展開形状に、プレス加工にて打ち抜いた後、所定の形状に曲げ加工して、長さ約３０ｍｍ、幅約３ｍｍ、高さ約３ｍｍで、長さ方向の両端部分に略断面形状が‘Ｃ’の字をしたクリップ部分を有する金属製クリップ部材４４とした。
この物にシリコーン系接着剤を塗布し、前記金属細線コネクタ４２を取付け、１２０゜Ｃで１０分間加熱することにより接着固定して、金属製クリップ部材付金属細線コネクタ４０を得た。
この物を、ＣＯＧ型液晶表示パネルの端子部分に、金属製クリップ部材のクリップ部分を用いて取付け、回路基板との間で圧縮したところ、液晶表示パネルが正常に点灯し、安定した導通が得られることが確認された。
【００３０】
（実施例４）
図５に示すコネクタ５０の製造方法について説明する。
下地ニッケルメッキ、表面金メッキを施した直径４０μｍの真鍮線５２ｃを、硬化後ゴム硬度５０゜Ｈ、厚み１００μｍの未硬化シリコーンゴム５２ａ上に、０．２ｍｍピッチにて一定間隔で配列し、更に、硬化後ゴム硬度５０゜Ｈ、厚み１００μｍの未硬化シリコーンゴム５２ｂを、配列した真鍮線５２ｃ上に貼り、この物を１２０゜Ｃで３０分間加熱・硬化させ、この物１０枚をシリコーン系接着剤にて真鍮線の配列方向を揃えて貼り合わせ、更に１２０゜Ｃで１０分間加熱・硬化させた後、真鍮線の配列方向に直交する方向に約２．５ｍｍに切断し、更にこの物を長さ約１５ｍｍ、幅約２ｍｍに切断し、長さ約１５ｍｍ、幅約２ｍｍ、高さ約２．５ｍｍの金属細線マトリックス型コネクタ５２とした。
【００３１】
次いで、厚み１００μｍのステンレス板を、金属製クリップ部材の展開形状に、プレス加工にて打ち抜いた後、所定の形状に曲げ加工して、長さ約２５ｍｍ、幅約３ｍｍ、高さ約３ｍｍで、長さ方向の両端部分に略断面形状が‘Ｃ’の字をしたクリップ部分を有する金属製クリップ部材５４とした。
この物にシリコーン系接着剤を塗布し、前記金属細線マトリックス型コネクタ５２を取付け、１２０゜Ｃで１０分間加熱することにより接着固定して、金属製クリップ部材付金属細線マトリックス型コネクタ５０を得た。
この物を、ＣＯＧ型液晶表示パネルの端子部分に、金属製クリップ部材のクリップ部分を用いて取付け、回路基板との間で圧縮したところ、液晶表示パネルが正常に点灯し、安定した導通が得られることが確認された。
【００３２】
（実施例５）
図６に示すコネクタ６０の製造方法について説明する。
厚み５０μｍの絶縁性シリコーンゴム６２ａと、厚み５０μｍの導通性シリコーンゴム６２ｃを交互に積層し、この物を積層方向に対し直交方向に厚み０．６ｍｍで切断し、この物の両表面にシリコーン系接着剤を２０μｍの厚みに塗布し、ここに厚み約０．９３ｍｍ、ゴム硬度２０゜Ｈのシリコーンゴム板（サポート材）６２ｂを貼り、１４０゜Ｃで１０分間加熱・硬化させた後、絶縁性シリコーンゴムと導電性シリコーンゴムの積層方向に約３０ｍｍ、これに直交する方向に約３ｍｍの大きさに切断し、長さ約３０ｍｍ、幅約２．５ｍｍ、高さ約３ｍｍのゴムコネクタ６２とした。
【００３３】
次いで、厚み１００μｍのステンレス板を、金属製クリップ部材の展開形状に、プレス加工にて打ち抜いた後、所定の形状に曲げ加工して、長さ約４５ｍｍ、幅約３ｍｍ、高さ約３ｍｍで、長さ方向の両端部分に略断面形状が‘Ｃ’の字をしたクリップ部分を有する金属製クリップ部材６４とした。
この物にシリコーン系接着剤を塗布し、前記ゴムコネクタを取付け、１２０゜Ｃ・１０分間加熱することにより接着固定して、金属製クリップ部材付ゴムコネクタ６０を得た。
この物を、液晶表示パネル端子部分に、金属製クリップ部材のクリップ部分を用いて取付け、回路基板との間で圧縮したところ、液晶表示パネルが正常に点灯し、安定した導通が得られることが確認された。
【００３４】
なお、上記実施の形態及び実施例中では、クリップ部材として金属部材を用いたが、同様の効果を奏するものならば例えばプラスチック等の他の部材でも良い。
なお、上記実施の形態では、液晶表示パネルと回路基板間の対向する電極間の接続にコネクタ１０を用いたが、冒頭で説明したように、このコネクタが用いられる電子部材としては、表面実装型ＬＳＩ、液晶表示パネル、プラズマディスプレイ、電子回路基板等種々のものがある。
【００３５】
【発明の効果】
以上説明したように、本発明によれば、ＡＣＦ等の熱圧着工程が不要のため、熱圧着による電子部材の破壊を防止でき、かつ、電子部材の対向する電極間の接続作業をクリップを用いることにより極めて容易に行うことが可能となり、生産能力が向上する。
また、電子部材の一方に不良が発生した場合にも、簡便かつ容易にリペアが可能であり、良品である他方の高価な電子部材も廃棄しなくてはならないといった問題も解決でき、コストメリットも大きい。
【図面の簡単な説明】
【図１】本発明の実施の形態であるコネクタを液晶表示パネルと回路基板との接続に用いた液晶表示装置の縦断面図である。
【図２】図１に示す液晶表示装置の分解斜視図である。
【図３】コネクタの実施例２を示し、（ａ）は分解図、（ｂ）は組立て図である。
【図４】コネクタの実施例３を示し、（ａ）は分解図、（ｂ）は組立て図である。
【図５】コネクタの実施例４を示し、（ａ）は分解図、（ｂ）は組立て図である。
【図６】コネクタの実施例５を示し、（ａ）は分解図、（ｂ）は組立て図である。
【符号の説明】
１０、３０、４０、５０、６０    コネクタ
１２、３２、４２、５２、６２    圧接型（弾性体）コネクタ
１２ｃ、３２ｃ、４２ｃ、５２ｃ  金属細線（導電線条材）
１４、３４、４４、５４、６４    金属製クリップ部材
１００    液晶表示装置
１０１    回路基板
１０１ａ  電極端子
１０２    液晶表示パネル
１０２ａ  電極端子
【図１】
0003547698.tif 000002
【図２】
0003547698.tif 000003
【図３】
0003547698.tif 000004
【図４】
0003547698.tif 000005
【図５】
0003547698.tif 000006
【図６】
0003547698.tif 000007